(57)【特許請求の範囲】
【請求項１】
光源から射出された光を画像データに基づいて変調する光変調器と、この光変調器により変調された光を拡大投写する投写光学系とを有するプロジェクタ装置において、
前記光源が、少なくとも赤色光、緑色光および青色光のそれぞれの反射型発光ダイオードユニットを同一方向に光を射出するように連結自在に構成した積層型発光ダイオード装置から構成され、
前記反射型発光ダイオードユニットのそれぞれは、
両端が開口した筒状のホルダケースと、前記ホルダケース内に対向配置された発光素子およびダイクロイックミラーとを有し、前記発光素子から照射された光を前記ダイクロイックミラーが反射して前記ホルダケースの一方の開口から当該ホルダケースと同軸に射出し、
前記反射型発光ダイオードユニットのそれぞれのホルダケースを同軸に連結して前記積層型発光ダイオード装置を構成した
ことを特徴とするプロジェクタ装置。
【請求項２】
光軸が同軸となるように連結する連結部材を介して前記反射型発光ダイオードユニットのそれぞれが互いに連結されている
ことを特徴とする請求項１に記載のプロジェクタ装置。
【請求項３】
赤色光、緑色光および青色光のそれぞれの反射型発光ダイオードユニットのうちの少なくとも２つ以上を同時に点灯させて、赤色、緑色および青色以外の色の画像を投写する
ことを特徴とする請求項１または２に記載のプロジェクタ装置。
【請求項４】
前記積層型発光ダイオード装置は、赤色光、緑色光および青色光以外の光を発光する反射型発光ダイオードユニットがさらに連結されてなる
ことを特徴とする請求項１または２に記載のプロジェクタ装置。
【発明の詳細な説明】
【技術分野】
【０００１】
本発明は、画像を投写して例えばスクリーン等に表示するプロジェクタ装置に関する。
【背景技術】
【０００２】
従来から、光源から射出された光束を、例えばＤＭＤ（デジタル・マイクロミラー・デバイス：登録商標）等の光変調器を用いて変調し、変調光束を投写レンズを用いてスクリーン上に拡大投写するプロジェクタ装置が知られている。この種のプロジェクタ装置においては、光源として、超高圧水銀灯やキセノンランプ等の白色の放電灯が用いられている（例えば、特許文献１参照）。しかしながら、プロジェクタ装置は、三原色に対応する赤色（Ｒ）、緑色（Ｇ）および青色（Ｂ）の画像を１フレームの間に時分割で投写するのが一般的であり、光源として白色光を用いた場合には、この白色光をＲ、Ｇ、Ｂの３色に分割するためのフィルター部材を光源と光変調器との間に介挿させる必要があり、装置構成が煩雑になるといった問題があった。
そこで、従来、赤色、緑色、青色のそれぞれの発光ダイオードを有して光源を構成したプロジェクタ装置が提案されている（例えば、特許文献２参照）
【特許文献１】特開２００５−１４８２９８号公報
【特許文献２】特開２００３−１８６１１０号公報
【発明の開示】
【発明が解決しようとする課題】
【０００３】
しかしながら、赤色、緑色、青色のそれぞれの発光ダイオードを光源とする従来の技術にあっては、各発光ダイオードから照射された光を合成するためにクロスダイクロイックプリズムを用い、このクロスダイクロイックプリズムの３面の各面に１つずつ発光ダイオードを対向配置する構成としているため、各発光ダイオードをプロジェクタ装置内に配設する際に、それぞれの発光ダイオードの光軸を同軸に合わせるのが困難であるといった問題があった。
本発明は、上述した事情に鑑みてなされたものであり、光源内での光軸合わせが不要なプロジェクタ装置を提供することを目的とする。
【課題を解決するための手段】
【０００４】
上記目的を達成するために、本発明は、光源から射出された光を画像データに基づいて変調する光変調器と、この光変調器により変調された光を拡大投写する投写光学系とを有するプロジェクタ装置において、前記光源が、少なくとも赤色光、緑色光および青色光のそれぞれの反射型発光ダイオードユニットを同一方向に光を射出するように連結自在に構成した積層型発光ダイオード装置から構成され、前記反射型発光ダイオードユニットのそれぞれは、両端が開口した筒状のホルダケースと、前記ホルダケース内に対向配置された発光素子およびダイクロイックミラーとを有し、前記発光素子から照射された光を前記ダイクロイックミラーが反射して前記ホルダケースの一方の開口から当該ホルダケースと同軸に射出し、前記反射型発光ダイオードユニットのそれぞれのホルダケースを同軸に連結して前記積層型発光ダイオード装置を構成したことを特徴とする。
【０００５】
また本発明は、上記発明において、光軸が同軸となるように連結する連結部材を介して前記反射型発光ダイオードユニットのそれぞれが互いに連結されていることを特徴とする。
【０００６】
また本発明は、上記発明において、赤色光、緑色光および青色光のそれぞれの反射型発光ダイオードユニットのうちの少なくとも２つ以上を同時に点灯させて、赤色、緑色および青色以外の色の画像を投写することを特徴とする。
【０００７】
また本発明は、上記発明において、前記積層型発光ダイオード装置は、赤色光、緑色光および青色光以外の光を発光する反射型発光ダイオードユニットがさらに連結されてなることを特徴とする。
【発明の効果】
【０００９】
本発明によれば、光源として、少なくとも赤色光、緑色光および青色光のそれぞれの反射型発光ダイオードユニットを同一方向に光を射出するように連結してなる積層型発光ダイオード装置を用いる構成としたため、プロジェクタ装置内に光源を配設する際に、反射型発光ダイオードユニットのそれぞれの光軸を合わせるための作業が不要となる。
【発明を実施するための最良の形態】
【００１０】
以下図面を参照して、本発明の実施の形態について説明する。
[第１実施の形態]
図１は本発明の一実施の形態を示すプロジェクタ装置２００の構成を模式的に示す図である。この図に示すように、プロジェクタ装置２００は、光束を射出する光源としての積層型発光ダイオード装置１００と、光束を変調する二次元光変調器１１０と、積層型発光ダイオード装置１００から射出された光束を二次元光変調器１１０に導く照射光学系１２０と、二次元光変調器１１０にて変調された変調光束を投写する投写光学系１３０と、プロジェクタ装置２００の動作制御を実行する制御装置１４０とを備えている。
【００１１】
積層型発光ダイオード装置１００は、三原色に対応する赤色光（Ｒ）、緑色光（Ｇ）および青色光（Ｂ）を選択的、或いは、幾つかの色光（全ての色光の場合を含む）を同時に射出するものである。具体的には、積層型発光ダイオード装置１００は、赤色光（Ｒ：波長６６０ｎｍ）を射出する反射型発光ダイオードユニット１０Ａ、緑色（Ｇ：波長５２５ｎｍ）を射出する反射型発光ダイオードユニット１０Ｂおよび青色（Ｂ：波長４７０ｎｍ）を射出する反射型発光ダイオードユニット１０Ｃを備え、これらの反射型発光ダイオードユニット１０Ａ〜１０Ｃが、それぞれ同一方向に光束を射出するように積層するように連設され、制御装置１４０の制御の下、各色光を選択的、または、幾つかの色光（全ての色光の場合を含む）を射出する。なお、この積層型発光ダイオード装置１００の具体的な構成については後に詳述する。
【００１２】
二次元光変調器１１０は、積層型発光ダイオード装置１００から射出された光束を制御装置１４０の制御に基づいて変調し、この変調光束を投写光学系１３０に入射させるものであり、本実施の形態では、二次元光変調器１１０としてＤＭＤが用いられている。詳述すると、ＤＭＤは、２次元的に配列した各ピクセルがミクロンサイズのマイクロミラーから構成され、各ピクセルごとにマイクロミラーの傾きが制御され、当該マイクロミラーによる反射光の反射角度を変化させることによってオン／オフ状態を作り、所定の方向に反射された光だけが投写光学系１３０に入射して投写画像として投写される。このとき、１つのピクセルは投写画像の１画素分を担当し、投写すべき画像データに基づいて制御装置１４０が各ピクセルのマイクロミラーのオン／オフ制御（角度制御）を実行する。
【００１３】
照射光学系１２０は、積層型発光ダイオード装置１００と二次元光変調器１１０との間に配置され、積層型発光ダイオード装置１００から射出された光束を二次元光変調器１１０の反射領域の全面に均一な光量で照射するものである。具体的には、照射光学系１２０は、積層型発光ダイオード装置１００から射出された光束の輝度（光量）を分散するための複数のフライアレイレンズ１２１と、これらのフライアレイレンズ１２１を通過した光束を絞るための集光レンズ１２２と、この集光レンズ１２２を通過した光束を上記二次元光変調器１１０の反射領域に導く一対の反射鏡１２３、１２４とを有して構成されている。なお、照射光学系１２０の構成は、積層型発光ダイオード装置１００から射出された光束を、二次元光変調器１１０の反射領域の全面に均一な光量で照射することが可能であれば、任意の構成を採用することが可能である。
【００１４】
投写光学系１３０は、二次元光変調器１１０により変調された光束を、本プロジェクタ装置２００の正面に配置されたスクリーン４００に向けて拡大投写するものであり、Ｒ、Ｇ、Ｂの各色光における色収差等によって投写画像が不鮮明になるのを防止すべく複数の集光素子を光軸方向に配置した組レンズとして構成されている。
【００１５】
制御装置１４０は、積層型発光ダイオード装置１００の発光を制御する発光制御部１４１と、二次元光変調器１１０を制御する二次元光変調器制御部１４２とを有している。発光制御部１４１は、反射型発光ダイオードユニット１０Ａ〜１０Ｃに点灯制御信号Ｃｍ−ｒ、Ｃｍ−ｇ、Ｃｍ−ｂを出力して、それぞれの反射型発光ダイオードユニット１０Ａ〜１０Ｃを所定周期ごとに順次点灯させるものである。
【００１６】
また、二次元光変調器制御部１４２は、本プロジェクタ装置２００に接続されたコンピュータ３００（デジタルビデオカメラ等の画像出力機能を備えた他の電子機器であっても良い）から出力される画像データに基づいて、二次元光変調器１１０に対して変調制御信号Ｃｍ−ｄを出力して、各マイクロミラーのオン／オフを制御し積層型発光ダイオード装置１００から射出された光束を変調するものである。
なお、二次元光変調器制御部１４２は発光制御部１４１の発光制御と同期して二次元光変調器１１０を制御するが、その詳細についは後述する。
【００１７】
さて、上述のように、本実施の形態では、光源として積層型発光ダイオード装置１００を用いており、この積層型発光ダイオード装置１００の構成について以下に詳述する。
図２は積層型発光ダイオード装置１００の正面および側面を示す概略図であり、図３はその側断面の概略図である。
積層型発光ダイオード装置１００の各反射型発光ダイオードユニット１０Ａ〜１０Ｃは、図３に示すように、発光半導体素子たる発光ダイオード２と、この発光ダイオード２を支持するリードフレーム１と、発光ダイオード２の発光面２Ａに対向配置された反射鏡たるダイクロイックミラー３と、後段の反射型発光ダイオードユニット１０との連結される連結材４とを備え、これらが円筒状（断面角形の筒状でも良い）のホルダケース５に内設されている。このホルダケース５はアルミニウムなどの高熱伝導性を有する金属材から形成され、その外周面（外側面）に多数の放熱フィン７を有する放熱部５Ｃが形成されている。
【００１８】
リードフレーム１は、図２に示すように、円環部１Ａと、この円環部１Ａの中心に配置され、その裏面に上記発光ダイオード２が配置される略円板状の取付部１Ｂと、円環部１Ａから取付部１Ｂに向けて延びる三本のアーム部１Ｃとを備え、これらが例えば銅などの高熱伝導性を有する板材を例えば型抜き成形するなどして一体に形成されている。そして、このリードフレーム１が、図３に示すように、発光ダイオード２（発光面２Ａ）を背面側に向けた姿勢でホルダケース５の内周面に設けられた掛止片５Ａに掛止される。このとき、リードフレーム１の円環部１Ａの側周面がホルダケース５の内側面に密着することで、発光ダイオード２が発する熱がホルダケース５に伝達される。
【００１９】
ダイクロイックミラー３は、特定波長帯域の光のみを選択的に反射し、他の波長帯域の光を透過する凹面状の光学反射面３Ａを有するものであり、この光学反射面３Ａが発光ダイオード２の発光面２Ａに対向するように焦点距離調整用スペーサ８を介在させてホルダケース５に内設されている。光学反射面３Ａは、対向配置される発光ダイオード２の放射光波長に対して高反射特性を有し、また、この発光ダイオード２の配置位置を焦点とする放物面（回転放物面）または非球面に形成されている。したがって、各反射型発光ユニット１０Ａ〜１０Ｃにおいては、発光ダイオード２から放射された光が中心軸Ｎに対して略平行な光として反射され、ホルダケース５の正面側の開口５Ｄから中心軸Ｎに対して略平行な光束として射出される。なお、最後段に位置する反射型発光ユニット１０Ｃにあっては、後段からの光の入射がないためダイクロイックミラー３に代えて通常の凹面状ミラーを設ける構成としても良い。
【００２０】
焦点距離調整用スペーサ８は、ダイクロイックミラー３の光学反射面３Ａの焦点位置を調整するための樹脂製部材であり、この焦点距離調整用スペーサ８をリードフレーム１とダイクロイックミラー３との間に介在させることで、発光ダイオード２の寸法、特に、ＬＥＤチップの高さが製造メーカやその構造（ベアチップや表面実装型チップなど）などにより異なる場合であっても、発光ダイオード２（発光面２Ａ）から光学反射面３Ａまでの距離（焦点距離ｆ）を調整し、焦点位置を発光ダイオード２の配置位置に位置合わせが可能になされている。
【００２１】
上記連結材４は、例えば樹脂などの電気的絶縁材が円筒状に形成されてなり、図３に示すように、その一端４Ａが、ホルダケース５の背面側の開口５Ｂから後方に向けて光束の射出方向Ｐと略平行に延出するようにホルダケース５に内設される。そして、連結材４の一端４Ａが、後段に連結される反射型発光ダイオードユニット１０のホルダケース５の正面側の開口５Ｄに挿入されてホルダケース５の掛止部５Ａに掛止され、反射型発光ダイオードユニット１０が連結される。
このとき、連結材４Ａは、光束の射出方向Ｐと略平行に延出しているため、当該連結材４Ａにて後段に連結された反射型発光ダイオードユニット１０の射出方向を前段のものに合わせることができ、これにより、各反射型発光ダイオードユニット１０Ａ〜１０Ｃの光軸を簡単かつ容易に合わせることができる。
【００２２】
次いで、本プロジェクタ装置２００の動作について説明する。なお、以下の説明では、プロジェクタ装置２００が毎秒あたりに表示する画像のフレーム数は６０フレームであるものとする。
本プロジェクタ装置２００は、１フレームの画像投写の際に、この画像がＲ、Ｇ、Ｂの各色に分解されてなるＲプレーン、Ｇプレーン、Ｂプレーンを１フレーム（１／６０秒）の間に時分割でスクリーン４００に順次投写し、人間にはそれぞれの画像がカラー合成されて視認されるようにしている。
【００２３】
具体的には、図４に示すように、１フレームが３分割されてＲ点灯期間Ｔｒ、Ｇ点灯期間ＴｇおよびＢ点灯期間Ｔｂが設けられており、発光制御部１４１はＲ点灯期間Ｔｒにおいて所定電圧または所定のＰＷＭ制御がなされた点灯制御信号Ｃｍ−ｒを反射型発光ダイオードユニット１０Ａに供給することで赤色光を射出させ、これと同様にして、Ｇ点灯期間Ｔｇにおいては緑色光、Ｂ点灯期間Ｔｂにおいては青色光を時分割に射出させる。したがって、これらＲ、Ｇ、Ｂの各色の光が１フレームの３倍の周期（１／１８０秒）で順次発光される。
【００２４】
一方、Ｒ点灯期間Ｔｒにおいては、投写すべき画像データのＲ成分を示すＲプレーンに基づいて二次元光変調器制御部１４２が変調制御信号Ｃｍ−ｄを二次元光変調器１１０に出力しており、これにより、当該Ｒ点灯期間ＴｒにおいてはＲ成分のみの画像がスクリーン４００上に投写される。また、これと同様にして、点灯期間ＴｇにおいてはＧ成分のみの画像、Ｂ点灯期間ＴｂにおいてはＢ成分のみの画像を投写される。この結果、１フレームの間には、Ｒ、Ｇ、Ｂの各色成分の画像が順次投写され、人間にはそれぞれの色成分の画像がカラー合成されて視認される。
なお、投写画像の輝度を調整する場合には、発光制御部１４１が各反射型発光ダイオードユニット１０Ａ〜１０Ｃに供給する点灯制御信号Ｃｍ−ｒ、Ｃｍ−ｇ、Ｃｍ−ｂのそれぞれの電圧値またはＰＷＭ制御値（パルス幅など）を変更することで、各反射型発光ダイオードユニット１０Ａ〜１０Ｃが射出する光量を制御する。
【００２５】
ここで、本実施の形態では、プロジェクタ装置２００の画像投写モードとして、上記Ｒ、Ｇ、Ｂの３色だけで画像を投写するモードの他に、これらＲ、Ｇ、Ｂを適宜組み合わせて成る中間色をＲ、Ｇ、Ｂの３色に加えて画像を投写する中間色使用モードを有している。なお以下の説明では、中間色として、ＲおよびＧを同時点灯させて黄色を表示する場合を例示するが、他の中間色や白色光を表示するようにしても良い。
【００２６】
図５は、中間色使用モードのタイミングチャートである。この図に示すように、中間色使用モードにあっては、中間色を表示するための中間色発光期間Ｔｃが１フレームに新たに追加される。この中間色発光期間Ｔｃにおいては、発光制御部１４１は、ＲおよびＧを同時に発光させて、積層型発光ダイオード装置１００から黄色光を射出させる。このとき、ＲおよびＧの発光強度を単色発光時と同等とすると、黄色光の強度が他の色光よりも高くなってしまうため、発光制御部１４１は、点灯制御信号Ｃｍ−ｒおよびＣｍ−ｇの電圧値またはＰＷＭ制御値を単色発光のときと比べて小さくし、これにより、中間色と単色色とのそれぞれの発光強度が同程度となるようにしている。
【００２７】
また、コンピュータ３００からは、１フレームの間に表示する画像をＲ、Ｇ、Ｂおよび中間色の各色成分に分解してなるＲプレーン、Ｇプレーン、Ｂプレーンおよび中間色プレーンのそれぞれのデータが制御装置１４０に入力されており、中間色発光期間Ｔｃにおいては、二次元光変調器制御部１４２が、中間色プレーンデータに基づいて二次元光変調器１１０の変調を制御する。
そして、以上のような制御により、１フレームの間には、Ｒ、Ｇ、Ｂおよび中間色の各色成分の画像が順次投写され、Ｒ、Ｇ、Ｂの３色により画像を投写した場合に比べて色再現域が広がった画像が投写されることになる。
なお、他の中間色を表示するための発光期間を１フレームの間にさらに追加することで、複数の中間色を投写可能にし、色再現域をより広げることが可能である。
【００２８】
以上説明したように、本実施の形態によれば、赤色光を発光する反射型発光ダイオードユニット１０Ａ、緑色光を発光する反射型発光ダイオードユニット１０Ｂおよび青色光を発光する反射型発光ダイオードユニット１０Ｃを有し、それぞれが同一方向に光を射出するように連結されてなる積層型発光ダイオード装置１００を光源として用いる構成としたため、プロジェクタ装置２００内に光源を配設する際に、反射型発光ダイオードユニット１０Ａ〜１０Ｃのそれぞれの光軸を合わせるための作業が不要となる。また、反射型発光ダイオードユニット１０Ａ〜１０Ｃのそれぞれが連結されて一体になされているため、プロジェクタ装置２００に衝撃などが加えられたとしても、反射型発光ダイオードユニット１０Ａ〜１０Ｃのそれぞれの配置位置にばらつき等が生じる事もない。
【００２９】
また、本実施の形態によれば、各反射型発光ダイオードユニット１０Ａ〜１０Ｃのそれぞれには、光軸が同軸となるように他の反射型発光ダイオードユニット１０を連結する連結材４が設けられているため、反射型発光ダイオードユニット１０Ａ〜１０Ｃのそれぞれを連結して積層型発光ダイオード装置１００を組み上げる際の光軸合わせが簡単かつ容易となる。
【００３０】
また、本実施の形態によれば、反射型発光ダイオードユニット１０Ａ〜１０Ｃのうちの少なくとも２つ以上を同時に点灯させて、赤色、緑色および青色以外の中間色の画像を投写するようにしたため、色再現域が広げられた鮮やかな投写画像を得ることができる。
【００３１】
また、本実施の形態によれば、高熱伝導性を有する金属製の中空状のホルダケース５を有する反射型発光ダイオードユニット１０Ａ〜１０Ｃを、電気的絶縁材からなる連結材４を介して連結する構成としたため、発光ダイオード２の放熱性を高め高出力化が可能になるとともに、反射型発光ダイオードユニット１０Ａ〜１０Ｃ同士の電気的絶縁性を高めることができる。
【００３２】
また、本実施の形態によれば、発光ダイオード２を高熱伝導性材から形成されたリードフレーム１に取り付け、このリードフレーム１をホルダケース５に取り付ける構成としたため、発光ダイオード２が発する熱をリードフレーム１を介してホルダケース５に伝達し、当該ホルダケース５から効率良く放熱させることができる。特に、本実施の形態によれば、ホルダケース５の外側面に放熱フィン５Ｂを形成したため、放熱性をより一層向上させることができる。なお、積層型発光ダイオード装置１００に対して冷却風を吹き付けるファンをプロジェクタ装置２００内に配設することで、放熱性をさらに高めることも可能である。
【００３３】
［第２実施の形態］
上述した第1実施の形態では、積層型発光ダイオード装置１００が備える複数の反射型発光ダイオードユニット１０Ａ〜１０Ｃを個別あるいは同時に点灯させて、図６のｘｙ色度図で示した範囲内で表現される色の光を用いて画像を投射していた。これに対して、本実施形態では、図７に示すように、反射型発光ダイオードユニット１０Ａ〜１０Ｃに加え、Ｒ、Ｇ、Ｂのそれぞれとは異なる光（以下、「他色光」と言う）を発光する発光ダイオードユニット１０Ｄを更に連結させてなる積層型発光ダイオード装置１００Ａを光源として用いて、画像を投射する構成としている。
【００３４】
すなわち、本プロジェクタ装置２００’においては、図８のｘｙ色度図で示すように、反射型発光ダイオードユニット１０Ａ〜１０Ｄの４色で合成される範囲内で表現される色を用いて画像を表現させている。具体的には、図９に示すように、１フレームの間に、赤色光を点灯するＲ発光期間Ｔｒ、緑色光を点灯するＧ発光期間Ｔｇ、青色光を点灯するＢ発光期間Ｔｂおよび他色光を点灯する他色発光期間Ｔｃの４つの期間を設け、それぞれの期間ごとに４つの反射型発光ダイオードユニット１０Ａ〜１０Ｄを順次点灯させる。
【００３５】
このように、本実施の形態によれば、積層型発光ダイオード装置１００に対して、赤色光、緑色光および青色光以外の光を発光する反射型発光ダイオードユニット１０Ｄをさらに連結することで、他の色の画像表示を簡単に行うことができ、色再現域を容易に広げることができる。
【００３６】
特に本実施の形態によれば、光源として積層型発光ダイオード装置１００が用いられているため、クロスダイクロイックプリズムの周囲に光源を配置してカラー合成する従来のプロジェクタ装置に比べて、他の色の光源となる反射型発光ダイオードユニット１０を簡単に追加することが可能となる。
なお、本実施形態では、異なる色を発光する反射型発光ダイオードユニット１０Ｄを1つだけ追加した構成を例示したが、これに限らず、互いに異なる色の光を発光する複数の反射型発光ダイオードユニット１０を反射型発光ダイオードユニット１０Ａ〜１０Ｃに連結して、より広い色再現域を実現可能な積層型発光ダイオード装置を構成しても良い。
【００３７】
なお、上述した各実施の形態はあくまでも本発明の一態様を示すものであり、本発明の範囲内で任意に変形および応用が可能である。
例えば、上述した実施の形態において、ホルダケース５内に不活性ガスを充填可能に構成し発光ダイオード２等の腐食などによる劣化を防止する構成としても良い。
【図面の簡単な説明】
【００３８】
【図１】本発明の第１実施の形態に係るプロジェクタ装置の構成を示す模式図である。
【図２】積層型発光ダイオード装置の正面および側面を示す図である。
【図３】積層型発光ダイオード装置の断面図である。
【図４】プロジェクタ装置の投写動作を示すタイミングチャートである。
【図５】プロジェクタ装置の中間色使用モード時の投写動作を示すタイミングチャートである。
【図６】本発明の第１実施の形態に係るプロジェクタ装置が表現できる色の範囲を示すｘｙ色度図である。
【図７】本発明の第２実施の形態に係るプロジェクタ装置の構成を示す模式図である。
【図８】本発明の第２実施の形態に係るプロジェクタ装置が表現できる色の範囲を示すｘｙ色度図である。
【図９】同プロジェクタ装置の投写動作を示すタイミングチャートである。
【符号の説明】
【００３９】
１  リードフレーム
２  発光ダイオード
３  ダイクロイックミラー
４  連結材
５  ホルダケース
１０、１０Ａ〜１０Ｄ  反射型発光ダイオードユニット
１００、１００’  積層型発光ダイオード装置
１１０  二次元光変調器
１３０  投写光学系
１４０  制御装置
２００、２００’  プロジェクタ装置
【図１】
0004548268.tif 000002
【図２】
0004548268.tif 000003
【図３】
0004548268.tif 000004
【図４】
0004548268.tif 000005
【図５】
0004548268.tif 000006
【図６】
0004548268.tif 000007
【図７】
0004548268.tif 000008
【図８】
0004548268.tif 000009
【図９】
0004548268.tif 000010